【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームを開始させることが可能となり、各々が識別可能な複数種類の識別情報を変動表示させる複数の可変表示部を含む可変表示装置に表示結果が導出されることにより１ゲームが終了し、該可変表示装置に導出された表示結果に応じて入賞が発生可能であるスロットマシンにおいて、
ゲーム毎に前記可変表示装置の表示結果が導出されるより前に、前記遊技用価値を用いることなく次のゲームを行うことが可能な再遊技の付与を伴う再遊技表示結果と該再遊技の付与を伴わない所定表示結果とを含む複数種類の入賞表示結果の導出を許容するか否かを決定する事前決定手段と、
前記複数の可変表示部のそれぞれに対応する複数の停止操作手段と、
前記事前決定手段の決定結果と前記停止操作手段の操作手順とに応じて前記可変表示装置に表示結果を導出させる導出制御手段と、
所定の特別移行条件が成立したときに、所定の特別終了条件が成立するまで前記事前決定手段の決定結果に関わらずに前記停止操作手段の操作手順に応じて前記遊技用価値の付与を伴う小役表示結果が導出可能となる特別遊技状態に制御する特別遊技状態制御手段とを備え、
前記小役表示結果は、第１小役表示結果と第２小役表示結果とを含み、該第１小役表示結果と該第２小役表示結果の何れもが、前記特別遊技状態において前記停止操作手段の操作手順に応じて導出可能であり、
前記事前決定手段は、前記特別遊技状態に制御されているか否かに関わらずに、前記再遊技表示結果の導出を許容するか否かを決定し、
前記導出制御手段は、
前記特別遊技状態に制御されていないときにおいて、前記事前決定手段により前記再遊技表示結果の導出を許容する旨と前記所定表示結果の導出を許容する旨とがともに決定されているときに、該所定表示結果よりも前記再遊技表示結果を優先して導出させる通常導出制御手段と、
前記特別遊技状態に制御されているときにおいて、前記事前決定手段により前記再遊技表示結果の導出を許容する旨が決定されているときに、前記再遊技表示結果よりも前記小役表示結果を優先して導出させる特別導出制御手段とを含み、
前記特別導出制御手段は、
前記複数の可変表示部のうちの第１可変表示部に対応する第１停止操作手段が第２可変表示部に対応する第２停止操作手段よりも先に操作されたときには、前記第１小役表示結果を前記第２小役表示結果よりも優先して導出させ、
前記第２停止操作手段が前記第１停止操作手段よりも先に操作されたときには、前記第２小役表示結果を前記第１小役表示結果よりも優先して導出させる
ことを特徴とするスロットマシン。
【手続補正２】
【補正対象書類名】明細書
【補正対象項目名】０００１
【補正方法】変更
【補正の内容】
【０００１】
本発明は、スロットマシンに関する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明は、事前決定手段の決定結果に関わらずに停止操作手段の操作手順に応じて小役表示結果が導出され得るとともに、再遊技表示結果の導出を許容する旨が決定され得る特別遊技状態に制御されるスロットマシンを提供することを目的とする。
【手続補正８】
【補正対象書類名】明細書
【補正対象項目名】００１２
【補正方法】変更
【補正の内容】
【００１２】
上記目的を達成するため、本発明にかかるスロットマシンは、
（１）遊技用価値（メダル）を用いて１ゲームに対して所定数の賭数を設定することによりゲームを開始させることが可能となり、各々が識別可能な複数種類の識別情報を変動表示させる複数の可変表示部（リール３Ｌ、３Ｃ、３Ｒ）を含む可変表示装置（可変表示装置２）に表示結果が導出されることにより１ゲームが終了し、該可変表示装置に導出された表示結果に応じて入賞が発生可能であるスロットマシン（スロットマシン１）において、
ゲーム毎に前記可変表示装置の表示結果が導出されるより前に、前記遊技用価値を用いることなく次のゲームを行うことが可能な再遊技の付与を伴う再遊技表示結果（リプレイ）と該再遊技の付与を伴わない所定表示結果とを含む複数種類の入賞表示結果の導出を許容するか否かを決定する事前決定手段（ステップＳ１０３）と、
前記複数の可変表示部のそれぞれに対応する複数の停止操作手段（停止ボタン１２Ｌ、１２Ｃ、１２Ｒ）と、
前記事前決定手段の決定結果と前記停止操作手段の操作手順とに応じて前記可変表示装置に表示結果を導出させる導出制御手段（ステップＳ１０４）と、
所定の特別移行条件（チャレンジボーナス（１）またはチャレンジボーナス（２）の入賞）が成立したときに、所定の特別終了条件（２５４枚超の払い出し）が成立するまで前記事前決定手段の決定結果に関わらずに前記停止操作手段の操作手順に応じて前記遊技用価値の付与を伴う小役表示結果（スイカ、ベル、チェリー）が導出可能となる特別遊技状態（チャレンジボーナス）に制御する特別遊技状態制御手段（ステップＳ２０８、Ｓ２１０）と、
前記小役表示結果は、第１小役表示結果と第２小役表示結果とを含み、該第１小役表示結果と該第２小役表示結果の何れもが、前記特別遊技状態において前記停止操作手段の操作手順に応じて導出可能であり、
前記事前決定手段は、前記特別遊技状態に制御されているか否かに関わらずに、前記再遊技表示結果の導出を許容するか否かを決定し、
前記導出制御手段は、
前記特別遊技状態に制御されていないときにおいて、前記事前決定手段により前記再遊技表示結果の導出を許容する旨と前記所定表示結果の導出を許容する旨とがともに決定されているときに、該所定表示結果よりも前記再遊技表示結果を優先して導出させる通常導出制御手段と、
前記特別遊技状態に制御されているときにおいて、前記事前決定手段により前記再遊技表示結果の導出を許容する旨が決定されているときに、前記再遊技表示結果よりも前記小役表示結果を優先して導出させる特別導出制御手段とを含み、
前記特別導出制御手段は、
前記複数の可変表示部のうちの第１可変表示部に対応する第１停止操作手段が第２可変表示部に対応する第２停止操作手段よりも先に操作されたときには、前記第１小役表示結果を前記第２小役表示結果よりも優先して導出させ、
前記第２停止操作手段が前記第１停止操作手段よりも先に操作されたときには、前記第２小役表示結果を前記第１小役表示結果よりも優先して導出させる
ことを特徴とする。
【手続補正９】
【補正対象書類名】明細書
【補正対象項目名】００１３
【補正方法】変更
【補正の内容】
【００１３】
（２）上記（１）スロットマシンは、
所定の特定移行条件（レギュラーボーナスの終了）が成立したときに、所定ゲーム数（３００ゲーム）を消化するまで前記事前決定手段が前記再遊技表示結果の導出を許容する旨を決定する確率を通常遊技状態よりも高くする再遊技高確率状態（ＲＴ）に制御する再遊技高確率状態制御手段（ステップＳ３０７）と、
前記再遊技高確率状態の終了を遊技者に報知する再遊技高確率状態報知手段（液晶表示器４：ステップＳ４１８）とをさらに備え、
前記特別遊技状態制御手段は、前記再遊技高確率状態において前記特別移行条件が成立したときに、前記再遊技高確率状態に制御させたまま、前記特別遊技状態に制御し（ステップＳ２０８、Ｓ２１０：チャレンジボーナス（１）またはチャレンジボーナス（２）の入賞時にＲＴカウンタの値をクリアすることなくチャレンジボーナス中フラグを設定）、
前記再遊技高確率状態報知手段は、
前記特別遊技状態に制御されていないときにおいて前記所定ゲーム数の消化により前記再遊技高確率状態が終了したときに、該再遊技高確率状態の終了の際に該再遊技高確率状態の終了を報知する通常時再遊技高確率状態報知手段（ステップＳ４０６（ＮＯ）→Ｓ４１１（ＮＯ）→Ｓ４１８、Ｓ４０６（ＹＥＳ）→Ｓ４１５（ＮＯ）→Ｓ４１６（ＹＥＳ）→Ｓ４１８）と、
前記特別遊技状態に制御されているときにおいて前記所定ゲーム数の消化により前記再遊技高確率状態が終了したときに、前記特別終了条件の成立により前記特別遊技状態も終了するのを待って前記再遊技高確率状態の終了を報知する特別時再遊技高確率状態報知手段（ステップＳ４０６（ＮＯ）→Ｓ４１１（ＹＥＳ）→Ｓ４１２、Ｓ４０６（ＹＥＳ）→Ｓ４１５（ＹＥＳ）→Ｓ４１８）とを含む
ものとしてもよい。
【手続補正１０】
【補正対象書類名】明細書
【補正対象項目名】００１４
【補正方法】変更
【補正の内容】
【００１４】
上記（２）スロットマシンでは、再遊技表示結果の導出を許容する旨が決定される確率が高くなる再遊技高確率状態と事前決定手段の決定結果に関わらずに小役表示結果が導出可能となる特別遊技状態とがあり、何れも通常遊技状態よりも遊技者にとって有利な状態となる。このうちで再遊技高確率状態は、所定ゲーム数の消化によって終了するものとなっている。また、再遊技高確率状態に遊技状態が制御されているときにも特別移行条件が成立することがあり、この場合には、再遊技高確率状態を終了させることなく、特別遊技状態に制御させるものとなる。従って、再遊技高確率状態に制御されてから所定ゲーム数を消化したとき、すなわち再遊技高確率状態の終了条件が成立するときには、特別遊技状態にも併せて制御されている場合と特別遊技状態には制御されていないときとがある。
また、所定ゲーム数の消化により再遊技高確率状態が終了すると、その旨が特定終了報知手段によって遊技者に報知されることとなる。ここで、特別遊技状態に制御されていないときに所定ゲームの消化により再遊技高確率状態が終了したときには、該再遊技高確率状態の終了の際に再遊技高確率状態の終了が報知されるが、未だ特別遊技状態に遊技状態が制御されているときには、該特別遊技状態の終了を待って再遊技高確率状態の終了が報知される。
【手続補正１１】
【補正対象書類名】明細書
【補正対象項目名】００１６
【補正方法】変更
【補正の内容】
【００１６】
なお、前記特別遊技状態は、例えば、前記導出制御手段が停止操作手段の操作から前記識別情報の変動表示を停止させるまでの遅延時間を他の遊技状態で適用される通常遅延時間よりも短い特別遅延時間に短縮させるとともに前記事前決定手段の決定結果に関わらずに前記小役表示結果を導出可能とする状態（いわゆるチャレンジボーナス、或いはＣＴ）とすることができる。
【手続補正１２】
【補正対象書類名】明細書
【補正対象項目名】００１７
【補正方法】変更
【補正の内容】
【００１７】
（３）上記（２）スロットマシンにおいて、
前記所定ゲーム数を消化するゲームが終了した後の一定期間の間、遊技の進行を不能とする不能状態（フリーズ状態）に制御する不能状態制御手段（ステップＳ３１８、Ｓ３１９）をさらに備えていてもよい。この場合において、
前記通常時再遊技高確率状態報知手段は、前記不能状態に制御されている期間において前記再遊技高確率状態の終了を報知し（ステップＳ３１７、Ｓ４１９：フリーズ状態に制御される前に遊技状態コマンドが送信されて、ＲＴの終了が報知される）、
前記不能状態制御手段は、前記所定ゲーム数の消化により前記再遊技高確率状態が終了したときに、前記特別遊技状態に制御されていないことを条件として、前記不能状態に制御するものとすることができる（ステップＳ３２４：チャレンジボーナスが継続するときにＲＴカウンタの値が０となってもフリーズ状態に制御されない）。
【手続補正１３】
【補正対象書類名】明細書
【補正対象項目名】００１９
【補正方法】変更
【補正の内容】
【００１９】
（４）上記（１）〜（３）スロットマシンにおいて、
前記導出制御手段は、前記停止操作手段の操作から所定の遅延時間の範囲内で、前記事前決定手段の決定結果に応じて前記識別情報の変動表示を停止させて前記可変表示装置に表示結果を導出させ、
前記特別遊技状態制御手段は、所定の特別移行条件が成立したときに、前記導出制御手段が前記識別情報の変動表示を停止させる所定の遅延時間を他の遊技状態で適用される通常遅延時間（１９０ミリ秒）よりも短い特別遅延時間（右のリール３Ｒについて７５ミリ秒）に短縮させるとともに前記事前決定手段の決定結果に関わらずに前記小役表示結果を導出可能とする（ステップＳ１０３：チャレンジボーナスにおいては、抽選結果に関わらずにスイカ、ベル、チェリーの当選フラグを設定）特別遊技状態に制御するものとすることができる。この場合においては、
前記通常導出制御手段は、前記再遊技表示結果と前記所定表示結果の導出を許容する旨が決定されているときにおいて、前記停止操作手段の操作から前記所定の遅延時間の範囲内で該再遊技表示結果も該所定表示結果も導出可能なときに、前記再遊技表示結果を導出させ（チャレンジボーナス（１）、チャレンジボーナス（２）またはレギュラーボーナスの当選フラグが持ち越されているゲームでリプレイ当選した場合には、停止ボタン１２Ｌ、１２Ｃ、１２Ｒの操作手順に関わらずにリプレイ入賞させる）、
前記特別導出制御手段は、前記再遊技表示結果の導出を許容する旨が決定されているときにおいて、前記停止操作手段の操作から前記所定の遅延時間の範囲内で前記小役表示結果も前記再遊技表示結果も導出可能なときに、前記小役表示結果を導出させるものとすることができる（チャレンジボーナスの遊技状態においてリプレイ当選した場合には、リプレイよりも優先して小役に入賞させる）。
【手続補正１４】
【補正対象書類名】明細書
【補正対象項目名】００２０
【補正方法】変更
【補正の内容】
【００２０】
ここでは、再遊技表示結果の導出を許容する旨が決定されている場合、特別遊技状態以外の遊技状態では、所定表示結果の導出を許容する旨も決定されていたとしても再遊技表示結果の導出が優先されるものの、特別遊技状態では、小役表示結果の導出が優先されるものとなる。このように再遊技表示結果よりも小役表示結果を優先して導出させるため、特別遊技状態において再遊技表示結果の導出を許容する旨が決定されているときに小役表示結果を導出させようとすると、停止操作手段の操作が非常に難しくなってしまうといった問題が起こることがない。
【手続補正１５】
【補正対象書類名】明細書
【補正対象項目名】００２３
【補正方法】変更
【補正の内容】
【００２３】
なお、前記特別導出制御手段は、前記複数の停止操作手段が所定の順序で操作されたことを条件として、該複数の停止操作手段の各々の操作タイミングに関わらずに前記小役表示結果を導出させるものであってもよい。
【手続補正１６】
【補正対象書類名】明細書
【補正対象項目名】００２５
【補正方法】変更
【補正の内容】
【００２５】
（５）上記（２）、（３）スロットマシン、及び上記（４）スロットマシン（上記（２）、３スロットマシンに従属するもの）において、
前記再遊技高確率状態報知手段は、前記再遊技高確率状態の開始から終了までの間に前記特別遊技状態に制御された回数を報知する特別回数報知手段（ステップＳ４１８）を含むものとすることができる。